(57)【要約】【課題】軽量化及び低コスト化を図ったソフト鎖鎌を提供する。【解決手段】鎌に鎖分銅を取付けた競技用のソフト鎖鎌において、Ｌ字形状の第一の管状部材と、第一の管状部材の鎌部及び柄部を被覆する弾性体からなる被覆部と、第一の管状部材と直交するように第一の管状部材に固定されたＬ字形状の第二の管状部材からなる篭手部と、一端が鎌に取り付けられた第一の紐部と、一端が第一の紐部の他端に取り付けられ第一の紐部より細い第二の紐部と、第二の紐部の他端に取り付けられた分銅保持部と、分銅保持部に収容され弾性体からなる分銅と、を有する。【選択図】図１
2014100423.tif 000002
【特許請求の範囲】
【請求項１】
鎌に鎖分銅を取付けた競技用のソフト鎖鎌において、
前記鎌は、Ｌ字形状の第一の管状部材と、前記第一の管状部材の鎌部及び柄部を被覆する弾性体からなる被覆部と、前記第一の管状部材と直交するように前記第一の管状部材に固定されたＬ字形状の第二の管状部材からなる篭手部と、を有し、
前記鎖分銅は、一端が前記鎌に取り付けられた第一の紐部と、一端が前記第一の紐部の他端に取り付けられ前記第一の紐部より細い第二の紐部と、前記第二の紐部の他端に取り付けられた分銅保持部と、前記分銅保持部に収容され弾性体からなる分銅と、を有することを特徴とするソフト鎖鎌。
【請求項２】
鎌に鎖分銅を取付けた競技用のソフト鎖鎌において、
前記鎌は、Ｌ字形状の第一の管状部材と、前記第一の管状部材の鎌部及び柄部を被覆する弾性体からなる被覆部と、前記第一の管状部材と直交するように前記第一の管状部材に固定されたＬ字形状の第二の管状部材からなる篭手部と、を有し、
前記鎖分銅は、一端が前記鎌に取り付けられた第一の紐部と、一端が前記第一の紐部の他端に取り付けられ前記第一の紐部より細い第二の紐部と、前記第二の紐部の他端に取り付けられた分銅保持部と、前記分銅保持部に収容され弾性体からなる分銅と、を有し、
前記鎌部は、前記篭手部との接続部から先の部分が着脱自在に接続され、前記柄部は、前記篭手部との接続部から先の部分が着脱自在に接続されることを特徴とするソフト鎖鎌。
【請求項３】
前記分銅保持部が、網からなる袋もしくは布からなる袋であることを特徴とする請求項１または２記載のソフト鎖鎌。
【発明の詳細な説明】
【技術分野】
【０００１】
本発明は、スポーツ競技または娯楽としての鎖鎌の試合や練習に使用される鎖鎌に関し、特に、適度な衝撃を相手方に与えるソフト鎖鎌に関する。
【背景技術】
【０００２】
従来、古武道の稽古として鎖鎌術が行われている。この古武道である鎖鎌術を、スポーツ競技として又は娯楽として試合及び練習に使用とする場合、鎌は、相手方に必要以上の打撃を与えないことが重要であり、競技者の身体を保護しながら、鎖鎌術を体験できるものとする必要がある。
【０００３】
従来の古武道としての鎖鎌術は、鎌の部分を木や鉄で作り、綿やテープ等を巻いたものを使用していた（例えば、非特許文献１参照）。
【先行技術文献】
【非特許文献】
【０００４】
【非特許文献１】楽天株式会社、楽天市場、インターネット最大級の通信販売、［平成24年10月26日検索］インターネット＜http://search.rakuten.co.jp/search/mall/%E9%8E%96%E9%8E%8C/-/＞
【発明の概要】
【発明が解決しようとする課題】
【０００５】
しかしながら、鎖鎌をスポーツ競技や娯楽として使用する場合には、過度な衝撃を抑え、適度な衝撃を必要とし、試合の競技者に緊張感と鎖鎌そのものを十分体感できることが望まれる。
また、市販の鎖鎌は木や鉄でできているため重いので、女性や子供には負担がかかり、価格も高価なものが多い。
そこで、本発明の目的は、軽量化及び低コスト化を図ったソフト鎖鎌を提供することにある。
【課題を解決するための手段】
【０００６】
上記課題を解決するため、請求項１に係る発明は、鎌に鎖分銅を取付けた競技用のソフト鎖鎌において、前記鎌は、Ｌ字形状の第一の管状部材と、前記第一の管状部材の鎌部及び柄部を被覆する弾性体からなる被覆部と、前記第一の管状部材と直交するように前記第一の管状部材に固定されたＬ字形状の第二の管状部材からなる篭手部と、を有し、前記鎖分銅は、一端が前記鎌に取り付けられた第一の紐部と、一端が前記第一の紐部の他端に取り付けられ前記第一の紐部より細い第二の紐部と、前記第二の紐部の他端に取り付けられた分銅保持部と、前記分銅保持部に収容され弾性体からなる分銅と、を有することを特徴とする。
【発明の効果】
【０００７】
本発明によれば、軽量化及び低コスト化を図ったソフト鎖鎌の提供を実現することができる。
【図面の簡単な説明】
【０００８】
【図１】一実施形態に係る外観斜視図である。
【図２】図１に示したソフト鎖鎌１０−１の被覆材を除去した状態を示す側面図の一例である。
【図３】他の実施形態に係る外観斜視図である。
【図４】図３に示したソフト鎖鎌１０−２のうちの鎌１１−２の分解図である。
【発明を実施するための形態】
【０００９】
ソフト鎖鎌の実施の形態について図面を参照して説明する。
［第一実施形態］
＜構  成＞
図１は、一実施形態に係る外観斜視図である。
図１に示すソフト鎖鎌１０−１は、鎌１１−１に鎖分銅１２−１を取付けた競技用の鎖鎌である。
鎌１１−１は、柄部１３−１と、柄部１３−１と直交し、弾性体からなる被覆材で覆われた鎌部１４−１と、鎌部１４−１及び柄部１３−１と直交するＬ字形状の篭手部１５−１と、を有する。
鎖分銅１２−１は、一端が柄部１３−１に取り付けられた第一の紐部１６と、一端が第一の紐部１６の他端に取り付けられ第一の紐部１６より細い第二の紐部１７と、第二の紐部１７の他端に取り付けられた分銅保持部１８と、分銅保持部１８に収容され弾性体からなる分銅１９と、を有する。
【００１０】
柄部１３−１の長さは、例えば３５ｃｍ〜４０ｃｍ程度であり、鎌部１４−１の長さは、例えば３０ｃｍ〜３５ｃｍ程度であり、第一の紐部１６の長さは、例えば５ｍ〜７ｍ程度である。第二の紐部１７の長さは、例えば１５ｃｍ〜２０ｃｍ程度であり、分銅の大きさは、例えば球状の場合５ｃｍ〜１０ｃｍ程度である。
【００１１】
なお、上記の数値は一例であって、限定されるものではない。鎌部１１−１、Ｆ１３−１、篭手部１５−１を使用者に合わせて適宜太く構成したり、細く構成したり、また長く構成したり、短く構成したりしてもよい。
【００１２】
鎌部１４−１の形状としては、先端部が丸みを帯びた円錐状もしくは半球状が挙げられる、胴部が円柱状もしくは丸みを帯びた角柱状が挙げられる。鎌部１４−１の被覆材としての弾性体は、例えば発泡プラスチック（発泡ポリスチレン、ポリスチレンフォーム、スチレンフォーム）、気泡シート、ポリウレタン等の柔軟性を有する合成樹脂が挙げられる。
【００１３】
分銅１９の形状は図では球状であるが、本発明はこれに限定されるものではなく、円柱状であっても釣り鐘状であっても、多面体状であってもよい。分銅１９の材質としては、例えばブタジエンゴム、シリコーンゴム等の合成ゴムもしくは綿、スポンジ状の合成樹脂が挙げられる。
【００１４】
第一の紐部１６及び第二の紐部１７は、円形・楕円形・平形のより紐／合わせ紐／組紐等が用いられる。第一の紐部１６及び第二の紐部１７の材質としては、例えば木綿、麻、ポリプロピレン、ナイロン等が挙げられる。
ここで、第一の紐部１６を直接分銅保持部１８に取り付けずに第一の紐部１６と直接分銅保持部１８との間に第二の紐部１７を挿入したのは、競技や娯楽において、相手側が刀を用いている場合に、ソフト鎖鎌１０−１を用いて相手側の刀に分銅１９を巻き付かせる場合、第一の紐部１６だけを用いるよりも第２の紐部１７を用いた方が相手側の刀に巻き付きやすいためである。これは、相手側の刀に第一の紐部１６が当たって巻き付く場合に比べ、第二の紐部１７が当たって巻き付く場合の方が径が小さいため柔軟性が大きく、回転しやすいためである。
【００１５】
分銅保持部１８としての網の材質は、例えば木綿、ポリプロピレン、ナイロンが挙げられる。分銅保持部１８は、袋であってもよく、袋の場合の材質は、例えば木綿、麻等の天然繊維、ナイロン、テトロン等の合成繊維が挙げられる。
【００１６】
図２は、図１に示したソフト鎖鎌１０−１の被覆材を除去した状態を示す側面図の一例である。
第一の管状部材Ｐ１は、直管１４−１ａ、Ｔ字配管（Ｔ、ティーもしくはチーズともいう）１４−１ｂ、直管１４−１ｃ、及びＴ字配管１４−１ｄをこの順に直列に接続し、Ｔ字配管１４−１ｄの中央部に直管１３−１ａ、Ｔ字配管１３−１ｂ、及び直管１３−１ｃをこの順に接続してＬ字形状としたものである。
第二の管状部材Ｐ２は、直管１５−１ａ、エルボ１５−１ｂ、及び直管１５−１ｃをこの順に接続してＬ字形状としたものである。
【００１７】
第一の管状部材Ｐ１及び第二の管状部材Ｐ２は、樹脂もしくは、金属からなる中空管であるが、補強のため内径と同一外径の円柱もしくは円筒を挿入してもよい。
管状部材Ｐ１、Ｐ２の各直管１３−１ａ、１３−１ｃ、１４−１ａ、１４−１ｃ、１５−１ａ、１５−１ｃ、Ｔ字配管１３−１ｂ、１４−１ｂ、１４−１ｄ、１３−１ｂ、及びエルボ１５−１ｂに樹脂を用いる場合は、例えば、塩化ビニル樹脂、アイオノマー樹脂、ポリエチレン樹脂（高密度）、ポリアセタール（ポリオキシメチレン）、ポリエチレンテレフタレート等の熱可塑性プラスチックが挙げられる。
管状部材Ｐ１、Ｐ２に金属を用いる場合は、例えば、鉄、アルミニウム、合金が挙げられる。
補強の円筒もしくは円柱の材質は、例えば、鉄、アルミニウム、合金が挙げられる。
【００１８】
柄部１３−１は、芯部材の外周が木材からなる薄板で覆われている。
木材としては、例えば、アオダモ、楓、ウリン、樫、欅、ブナ、ホオノキ等の広葉樹や赤松、アガチス、銀杏、カヤ、杉、檜等の針葉樹が挙げられる。
鎌部は、先端部が丸みを帯び、弾性部材からなるキャップ材で覆われ、胴部が軟質かつ弾性を有する緩衝材と薄生地シートの被覆材で覆われている。
鎌部の弾性部材としては、例えばシリコーンゴム、エチレン酸ピコポリマー、ポリメタクリル酸メチル（メタクリル樹脂）、ポリウレタン等が挙げられる。
胴部の緩衝材としては、例えば、発泡ポリスチレン、気泡緩衝材、ポリウレタン等が挙げられる。
【００１９】
＜作用効果＞
本実施形態によれば、ソフト鎖鎌を用いた試合又は練習において、使用者が相手側に打ち込んだとき、又は相手側から打ち込まれたときの衝撃は適度かつ痛みを伴わない刺激となって体感することができる。
本実施形態によれば、鎌部に軟質かつ弾性を有する緩衝材と薄生地シートの被覆材を巻き付けて被覆することにより、試合又は練習において、付き技（分銅を投げつけて当てる技）を、防護具の無い相手側に用いることができる。
鎌部に軟質かつ弾性を有する材質を用いたので、防護具の無い相手側にそのまま種々の技を掛けることができる。
【００２０】
柄部１３−１の外周には薄生地シートを巻き付けてもよい。薄生地シートの材質としては、例えば、木綿、ナイロン、麻等のシートが挙げられる。
【００２１】
［第二実施形態］
＜構  成＞
図３は、他の実施形態に係る外観斜視図である。
図３に示した実施形態の図１に示した実施形態との相違点は、鎌部１４−２及び柄部１３−２が分割できる点である。
すなわち図３に示したソフト鎖鎌１０−２は、鎌１１−２の鎌部１４−２の先の部分１４−２ａが着脱自在に取り付けられ、柄部１３−２の先の部分（グリップ部）１３−２ｅが着脱自在に取り付けられるように構成されている。
【００２２】
図４は、図３に示したソフト鎖鎌１０−２のうちの鎌１１−２の分解図である。
図４に示したＴ字配管１４−２ｃ、直管１５−２ａ、エルボ１５−２ｂ、直管１５−２ｃ、及びＴ字配管１３−２ｂは、図２に示したＴ字配管１４−１ｃ、直管１５−１ａ、エルボ１５−１ｂ、直管１５−１ｃ、及びＴ字配管１３−１ｂと同様の部材のため、説明を省略する。
【００２３】
図４に示す鎌１１−２の鎌部１４−２の先の部分１４−２ａに内蔵された直管１４−２ａには、雄ネジ１４−２ｂが、一部（図では右端側）が露出した状態で固定されている。鎌部１４−２の本体側のＴ字配管１４−２ｃの一端（この場合、左端）にネジ１４−２ｂと螺合可能な雌ねじが形成されている。Ｔ字配管１４−２ｃには補強のため、内周に雌ネジが形成された金属管が挿入されていてもよく、Ｔ字配管１４−２ｃの外周に金属管もしくは金属半円筒が設けられていても良い。
鎌１１−２の柄部１３−２のグリップ部１３−２ｅの先端（この場合、上端）には雄ネジ１３−２ｄが、一部（この場合、上端）が露出した状態で固定されている。
柄部１３−２の本体側のＴ字配管１３−２ｂの一端（この場合、下端）に雄ネジ１３−２ｄと螺合可能な雌ねじが形成されている。Ｔ字配管１３−２ｂには補強のため、内周に雌ネジが形成された金属管が挿入されていてもよく、Ｔ字配管１３−２ｂの外周に金属管もしくは金属半円筒が設けられていても良い。
【００２４】
＜作用効果＞
本実施形態によれば、実施形態１と同様の効果が得られる他、分解組み立てが可能なため、携帯性が向上する。
【００２５】
なお、上述した実施の形態は、本発明の好適な実施の形態の一例を示すものであり、本発明はそれに限定されることなく、その要旨を逸脱しない範囲内において、種々変形実施が可能である。
例えば、上述した実施形態において、篭手部は直管及びエルボが露出した場合で説明したが、本発明はこれに限定されるものではなく、軟質かつ弾性を有する緩衝材と薄生地シートの被覆材で覆われていてもよい。
【符号の説明】
【００２６】
１０−１、１０−２    ソフト鎖鎌
１１−１、１１−２    鎌
１２−１、１２−２    鎖分銅
１３−１、１３−２    柄部
１３−１ａ、１３−１ｃ、１３−２ａ、１３−２ｅ、１４−１ａ、１４−１ｃ、１４−２ａ、１５−１ａ、１５−１ｃ    直管
１３−１ｂ、１３−２ｂ、１４−１ｂ、１４−１ｄ、１４−２ｂ    Ｔ字配管
１５−１ｂ、１５−２ｂ    エルボ
１４−１、１４−２    鎌部
１４−２ｂ、１３−２ｄ    雄ネジ
１５−１、１５−２    篭手部
１６    第一の紐部
１７    第二の紐部
１８    分銅保持部
１９    分銅
【図１】
2014100423.tif 000003
【図２】
2014100423.tif 000004
【図３】
2014100423.tif 000005
【図４】
2014100423.tif 000006